(57)【要約】      （修正有）【課題】小型化かつ携帯可能なタスク提供装置を提供する。【解決手段】タスク提供装置１００ａは、第１タスク格納部３２と、第１選択部３０と、第１読出部３１と、信号変換部３３と、を備える。第１タスク格納部３２は、ユーザに回答を要求する問題である少なくとも１つの第１タスクを格納する。第１選択部３０は、第１タスク格納部３２内の第１タスクの指定を受け付け、第１タスクを選択する。第１読出部３１は、第１選択部３０により選択された第１タスクを、第１タスク格納部３２から読み出す。信号変換部３３は、第１読出部３１が読み出した第１タスクを、ユーザが音として認識可能な信号に変換する。【選択図】図４
2017049414.tif 000002
【特許請求の範囲】
【請求項１】
ユーザに回答を要求する問題である少なくとも１つの第１タスクを格納する第１タスク格納部と、
前記第１タスク格納部内の前記第１タスクの指定を受け付け、前記第１タスクを選択する第１選択部と、
前記第１選択部により選択された第１タスクを、前記第１タスク格納部から読み出す第１読出部と、
前記第１読出部が読み出した第１タスクを、ユーザが音として認識可能な信号に変換する信号変換部と、
を備える、
タスク提供装置。
【請求項２】
前記ユーザに運動を行わせるための少なくとも１つの第２タスクを格納する第２タスク格納部と、
前記第２タスク格納部内の前記第２タスクの指定を受け付け、前記第２タスクを選択する第２選択部と、
前記第２選択部により選択された第２タスクを、前記第２タスク格納部から読み出す第２読出部と、
をさらに備え、
前記信号変換部は、前記第２読出部が読み出した第２タスクを、ユーザが音として認識可能な信号に変換する、
請求項１に記載のタスク提供装置。
【請求項３】
前記第２選択部は、前記第２タスクの選択を受け付けると、前記第１選択部による前記第１タスクの選択を可能にする選択可能信号を、前記第１選択部に出力し、
前記第１選択部は、前記選択可能信号に基づいて、前記第１タスク格納部内の第１タスクの選択を受け付ける、請求項２に記載のタスク提供装置。
【請求項４】
前記信号変換部は、前記第１読出部が読み出した第１タスクを、骨伝導によりユーザが音として認識可能な信号に変換する、請求項１〜３のいずれかに記載のタスク提供装置。
【請求項５】
前記信号変換部は、前記第２読出部が読み出した第２タスクを、骨伝導によりユーザが音として認識可能な信号に変換して、請求項２又は３に記載のタスク提供装置。
【請求項６】
前記第１タスクに基づいた回答を前記ユーザから受け付ける回答受付部をさらに備える、
請求項１〜５のいずれかに記載のタスク提供装置。
【請求項７】
前記回答受付部は、前記第１タスクに基づいた回答を、骨伝導センサを介して前記ユーザから受け付ける、
請求項６に記載のタスク提供装置。
【請求項８】
前記回答受付部が受け付けた前記ユーザの前記第１タスクに対する回答が正解か否かを評価する第１タスク評価部をさらに備える、
請求項６又は７に記載のタスク提供装置。
【請求項９】
前記第１選択部は、前記第１タスク評価部での評価結果に基づいて、次の第１タスクを選択する、請求項８に記載のタスク提供装置。
【請求項１０】
前記第２タスクに基づいた運動の達成度を評価する第２タスク評価部をさらに備える、
請求項２、３又は５のいずれかに記載のタスク提供装置。
【請求項１１】
前記第２選択部は、前記第２タスク評価部での評価結果に基づいて、次の第２タスクを選択する、請求項１０に記載のタスク提供装置。
【請求項１２】
前記第１タスクに基づいた回答を前記ユーザから受け付ける回答受付部と、
前記回答受付部が受け付けた前記ユーザの前記第１タスクに対する回答が正解か否かを評価する第１タスク評価部と、
前記第２タスクに基づいた運動の達成度を評価する第２タスク評価部と、
前記第１タスク評価部の評価結果と、前記第２タスク評価部の評価結果と、に基づいて、前記第１タスク及び前記第２タスクの達成度を総合的に評価するマルチタスク評価部と、をさらに備える、
請求項２、３又は５のいずれかに記載のタスク提供装置。
【請求項１３】
前記第１選択部は、前記マルチタスク評価部での評価結果に基づいて、次の第１タスクを選択する、請求項１２に記載のタスク提供装置。
【請求項１４】
前記第２選択部は、前記マルチタスク評価部での評価結果に基づいて、次の第２タスクを選択する、請求項１２又は１３に記載のタスク提供装置。
【請求項１５】
前記第１タスク評価部での評価結果に基づいて、評価結果を出力する評価結果出力部をさらに含む、請求項８，９，１２〜１４のいずれかに記載のタスク提供装置。
【請求項１６】
ユーザに回答を要求する問題である少なくとも１つの第１タスクを格納する第１タスク格納部を有するコンピュータにより実行されるタスク提供プログラムであって、
ユーザに回答を要求する問題である第１タスクの選択を受け付け、前記第１タスクを選択する第１選択ステップと、
前記第１選択部により選択された第１タスクを、前記第１タスク格納部から読み出す第１読出ステップと、
前記第１読出部が読み出した第１タスクを、ユーザが音として認識可能な信号に変換する変換信号提供ステップと、
をコンピュータに実行させる、
タスク提供プログラム。
【請求項１７】
請求項１６に記載のタスク提供プログラムを記録したコンピュータ読み取り可能な記録媒体。
【請求項１８】
請求項１に記載のタスク提供装置と、
前記信号変換部から変換後の信号を受信し、ユーザに音信号を伝達する音伝達装置と、を備える、
タスク提供システム。
【発明の詳細な説明】
【技術分野】
【０００１】
本発明は、タスク提供装置、タスク提供プログラム、タスク提供プログラムを記録した記録媒体及びタスク提供システムに関する。
【背景技術】
【０００２】
認知症の予防のために種々の運動が検討されている。最近では、２つの課題をユーザに行わせる、いわゆるデュアルタスクに基づく認知症の予防方法が検討されている。
【０００３】
特許文献１（特開２０１５−４１０９７号公報）には、デュアルタスクに関連する認知機能低下予防装置が開示されている。特許文献１の認知機能低下予防装置では、タスク選択部が、心拍数に応じて、ユーザが行う運動に用いられる音楽を選択する。さらに、タスク選択部は、心拍数に応じて、ユーザが回答するテスト課題を選択する。特許文献１の認知機能低下予防装置では、表示装置からなる提示部が、タスク選択部によって選択された運動のための音楽を再生するとともに、表示装置を介してテスト課題をユーザに提示する。
【０００４】
このような特許文献１によれば、ユーザは運動という課題とテストに回答するという課題との２つの課題を行うことができる。よって、特許文献１の認知機能低下予防装置は、認知症の予防にある程度の効果がある。
【先行技術文献】
【特許文献】
【０００５】
【特許文献１】特開２０１５−４１０９７号公報
【発明の概要】
【発明が解決しようとする課題】
【０００６】
しかし、特許文献１では、テスト課題は、表示装置に表示される画像によりユーザに提示されるため、ユーザが運動を行っている間に表示装置を見る必要がある。よって、大型な表示装置の場合には、特許文献１の認知機能低下予防装置の全体構成が大型化する。この場合、特許文献１の認知機能低下予防装置は、通常、定位置に固定されて使用されるものに限られる。最近では小型化された表示装置もあるが、ユーザが目でテスト課題を認識するためには、表示装置を手で支持するか、あるいは所定の場所に設置しておく必要がある。そのため、ユーザの行動の自由度が限られてしまい、結果としてユーザが可能な運動の範囲が限られてしまう。
【０００７】
そこで、本発明は、小型化かつ携帯可能なタスク提供装置、そのタスク提供装置に用いられるタスク提供プログラム、そのタスク提供プログラムを記録した記録媒体、及びタスク提供装置を含むタスク提供システムを提供することを目的とする。
【課題を解決するための手段】
【０００８】
本発明の一態様に係るタスク提供装置は、第１タスク格納部と、第１選択部と、第１読出部と、信号変換部と、を備える。第１タスク格納部は、ユーザに回答を要求する問題である少なくとも１つの第１タスクを格納する。第１選択部は、第１タスク格納部内の第１タスクの指定を受け付け、第１タスクを選択する。第１読出部は、第１選択部により選択された第１タスクを、第１タスク格納部から読み出す。信号変換部は、第１読出部が読み出した第１タスクを、ユーザが音として認識可能な信号に変換する。
【０００９】
上記構成によれば、信号変換部は、ユーザが第１タスクを音として認識可能な信号に変換する。信号変換部が第１タスクを変換した信号は、例えば、ユーザの頭部等に取り付けられた音伝達装置を介してユーザに提供される。このように音伝達装置はユーザに装着可能であり、ユーザの行動の自由度の制限は少ない。そのため、ユーザが可能な運動の範囲を広げることができる。
【００１０】
以上によれば、上記タスク提供装置には、第１タスクをユーザに提示するための表示装置を組み合わせる必要がない。また、一般的に、イヤホン、ヘッドホン及び骨伝導伝達装置などの音伝達装置は小型であり、タスク提供装置と音伝達装置とを組み合わせても大型化を抑制できる。また、イヤホン、ヘッドホン及び骨伝導伝達装置などの音伝達装置はユーザに装着可能であり、表示装置のように手で支持し、または所定の場所に設置する必要もない。よって、タスク提供装置と音伝達装置との組み合わせは携帯性にも優れている。このように上記タスク提供装置は、小型で携帯性にも優れるため、ユーザの自由度が向上し、結果としてユーザが可能な運動の範囲を広げることができる。
【００１１】
好ましくは、タスク提供装置は、第２タスク格納部と、第２選択部と、第２読出部と、をさらに備える。第２タスク格納部は、ユーザに運動を行わせるための少なくとも１つの第２タスクを格納する。第２選択部は、第２タスク格納部内の第２タスクの指定を受け付け、第２タスクを選択する。第２読出部は、第２選択部により選択された第２タスクを、第２タスク格納部から読み出す。信号変換部は、第２読出部が読み出した第２タスクを、ユーザが音として認識可能な信号に変換する。
【００１２】
上記構成によれば、ユーザは、第２タスクに基づいて運動を行う。さらに、ユーザは第１タスクに基づいた回答を行う。つまり、ユーザは、第２タスクに基づいた運動を行いつつ、第１タスクに基づいた回答を行うという、２つの作業を行う必要がある。よって、ユーザにデュアルタスクを行わせて、運動機能の向上とともに、認知症予防及び脳機能の向上等を達成することができる。
【００１３】
好ましくは、第２選択部は、第２タスクの選択を受け付けると、第１選択部による第１タスクの選択を可能にする選択可能信号を、第１選択部に出力する。第１選択部は、選択可能信号に基づいて、第１タスク格納部内の第１タスクの選択を受け付ける。
【００１４】
上記構成によれば、ユーザに運動を行わせるための第２タスクが選択された後に、問題である第１タスクが選択可能となる。よって、ユーザに運動を行わせるための第２タスクが選択されていないのに、問題である第１タスクが選択されるという状況を回避することができる。そのため、ユーザに対して、第２タスクに基づいた運動を行わせつつ、第１タスクに基づいた回答を行わせるという、２つの作業を行わせることができる。これにより、ユーザにデュアルタスクを行わせて、運動機能の向上とともに、認知症予防及び脳機能の向上等を達成することができる。
【００１５】
好ましくは、信号変換部は、第１読出部が読み出した第１タスクを、骨伝導によりユーザが音として認識可能な信号に変換する。
【００１６】
上記構成によれば、第１タスクは、骨伝導によりユーザが音として認識可能な信号に変換される。そして、第１タスクは、例えばユーザの頭部等に取り付けられた骨伝導伝達装置を介してユーザに提供される。骨伝導により第１タスクがユーザに伝達されるため、頭蓋骨の振動によりユーザは第１タスクの内容を聞き取ることができる。
【００１７】
また、骨伝導伝達装置が、例えば、ユーザの耳以外の頭部に取り付けられ、又は耳の外側に取り付けられる場合等には、ユーザの耳は塞がれない。よって、ユーザは耳により周囲の音を聞きつつ、第１タスクを骨伝導により聞き取ることができる。
【００１８】
好ましくは、信号変換部は、第２読出部が読み出した第２タスクを、骨伝導によりユーザが音として認識可能な信号に変換する。
【００１９】
上記構成によれば、第２タスクは、骨伝導によりユーザが音として認識可能な信号に変換される。そして、第２タスクは、例えばユーザの頭部等に取り付けられた骨伝導伝達装置を介してユーザに提供される。骨伝導により第２タスクがユーザに伝達されるため、頭蓋骨の振動によりユーザは第２タスクの内容を聞き取ることができる。
【００２０】
また、骨伝導伝達装置が、例えば、ユーザの耳以外の頭部に取り付けられ、又は耳の外側に引っかけられる場合等には、ユーザの耳は塞がれない。よって、ユーザは耳により周囲の音を聞きつつ、第２タスクを骨伝導により聞き取ることができる。
【００２１】
また、例えば、第１タスク及び第２タスクがともに、耳以外に取り付けられた骨伝導伝達装置によりユーザに提供されるのが好ましい。この場合、ユーザは第１タスク及び第２タスクの提供により耳が塞がれないため、ユーザは耳により周囲の音を聞きつつ、第１タスク及び第２タスクを骨伝導により聞き取ることができる。
【００２２】
好ましくは、第１タスクに基づいた回答をユーザから受け付ける回答受付部をさらに備える。
【００２３】
上記構成によれば、ユーザが第１タスクに対して回答を行った場合には、回答受付部がその回答を受け付ける。回答受付部は、例えば、指、腕及び足等の体の動きによって、ユーザから第１タスクに対する回答を受け付ける。また、回答受付部は、例えば、ユーザが発した音声によって、ユーザから第１タスクに対する回答を受け付ける。
【００２４】
好ましくは、回答受付部は、第１タスクに基づいた回答を、骨伝導センサを介してユーザから受け付ける。
【００２５】
上記構成によれば、ユーザが第１タスクに対して回答を行った場合には、骨伝導センサを介して回答受付部がその回答を受け付ける。なお、骨伝導センサは、例えば振動を検知するセンサであり、ユーザの指、腕及び足等の体の動き、及び声などを検知する。
【００２６】
骨伝導センサは、例えば、指、腕及び足等の体の動きによって、ユーザから第１タスクに対する回答を受け付ける。この場合、ユーザの指等の体の動きを骨伝導センサにより直接的に確実に検出することができる。回答受付部が骨伝導センサを介して回答を受け付ける場合には、別途の押しボタンなどの入力部が不要であり、タスク提供装置の構成を簡素化して小型化することができる。
【００２７】
また、骨伝導センサは、例えば、ユーザが発した音声によって、ユーザから第１タスクに対する回答を受け付ける。この場合、ユーザの音声を骨伝導センサにより直接的に確実に検出することができる。例えば、ユーザの周囲の音及びユーザ以外の周囲の人の音声と、ユーザの音声とを区別して、ユーザの音声を選択的に骨伝導センサにより確実に検出することができる。回答受付部が骨伝導センサを介して回答を受け付ける場合には、別途のマイクなどの入力部が不要であり、タスク提供装置の構成を簡素化して小型化することができる。
【００２８】
好ましくは、回答受付部が受け付けたユーザの第１タスクに対する回答が正解か否かを評価する第１タスク評価部をさらに備える。
【００２９】
上記構成によれば、第１タスク評価部は、ユーザへの問題である第１タスクに対する回答について、正解か否かを判定する。第１タスクに対する回答の評価結果、例えば第１タスクに対する回答の正解率を分析することで、認知症予防及び脳機能の向上等の達成度を確認することができる。
【００３０】
好ましくは、第１選択部は、第１タスク評価部での評価結果に基づいて、次の第１タスクを選択する。
【００３１】
上記構成によれば、例えば、第１選択部は、第１タスクに対するユーザの回答の正解率に基づいて、次の第１タスクを選択する。よって、前回の第１タスクに対する正解率に応じて、次回の第１タスクとして適切なタスクをユーザに提供することができる。ユーザにとって適切な第１タスクが選択されるため、ユーザの脳等への負担を減らしつつ、認知症予防及び脳機能の向上等を達成できる。
【００３２】
好ましくは、第２タスクに基づいた運動の達成度を評価する第２タスク評価部をさらに備える。
【００３３】
上記構成によれば、第２タスク評価部は、第２タスクに基づくユーザの運動の達成率を評価する。第２タスクに基づく運動に対する評価結果、例えば運動の達成率に基づいて、ユーザがどの程度の運動を行ったかを分析することができる。
【００３４】
好ましくは、第２選択部は、第２タスク評価部での評価結果に基づいて、次の第２タスクを選択する。
【００３５】
上記構成によれば、第２選択部は、第２タスクに対するユーザの運動の達成率に基づいて、次の第２タスクを選択する。よって、前回の第２タスクに対する運動の達成率に応じて、次回の第２タスクとして適切なタスクをユーザに提供することができる。ユーザにとって適切な第２タスクが選択されるため、ユーザの身体等への負担を減らしつつ、運動機能の向上を達成できる。また、ユーザの身体等への過度の負担を減らすことができるため、ユーザに適度な運動を行わせつつ、認知症予防及び脳機能の向上等を達成できる。
【００３６】
好ましくは、タスク提供装置は、回答受付部と、第１タスク評価部と、第２タスク評価部と、マルチタスク評価部と、をさらに備える。回答受付部は、第１タスクに基づいた回答をユーザから受け付ける。第１タスク評価部は、回答受付部が受け付けたユーザの第１タスクに対する回答が正解か否かを評価する。第２タスク評価部は、第２タスクに基づいた運動の達成度を評価する。マルチタスク評価部は、第１タスク評価部の評価結果と、第２タスク評価部の評価結果と、に基づいて、第１タスク及び第２タスクの達成度を総合的に評価する。
【００３７】
上記構成によれば、マルチタスク評価部は、第１タスク評価部の評価結果と第２タスク評価部の評価結果との両方に基づいて、第１タスクの正解率及び第２タスクに基づいた運動の達成率を総合的に評価する。つまり、第１タスク及び第２タスクそれぞれに対する個別の評価ではなく、ユーザによるデュアルタスクの達成度を総合的に評価する。これによれば、運動機能の向上に対する評価と、認知症予防及び脳機能の向上等に対する評価とを総合的に把握することができる。
【００３８】
例えば、第１タスクに基づいたユーザの回答の正解率が高くても、第２タスクに基づいたユーザの運動の達成率が低ければ、マルチタスクの評価は低くなる。逆に、例えば、第２タスクに基づいたユーザの運動の達成率が高くても、第１タスクに基づいたユーザの回答の正解率が低ければ、マルチタスクの評価は低くなる。結局、第１タスクに基づいたユーザの回答の正解率が高く、かつ、第２タスクに基づいたユーザの運動の達成率が高い場合に、マルチタスクの評価は高くなる。よって、マルチタスクの評価を参照することで、運動機能の向上とともに、認知症予防及び脳機能の向上等を達成できているかを把握することができる。
【００３９】
好ましくは、第１選択部は、マルチタスク評価部での評価結果に基づいて、次の第１タスクを選択する。
【００４０】
上記構成によれば、マルチタスク評価部は、第１タスクに対するユーザの回答の正解率及び第２タスクに対するユーザの運動の達成率の両方を総合的に評価する。第１選択部は、マルチタスク評価部の評価結果に基づいて、次の第１タスクを選択する。よって、前回の第１タスクに対する正解率及び前回の第２タスクに対するユーザの運動の達成率の両方を総合的に評価した評価結果に応じて、次回の第１タスクとして適切なタスクをユーザに提供することができる。これにより、ユーザの身体及び脳等への負担を減らしてユーザに適度な運動を行わせつつ、認知症予防及び脳機能の向上等を達成できる。
【００４１】
好ましくは、第２選択部は、マルチタスク評価部での評価結果に基づいて、次の第２タスクを選択する。
【００４２】
上記構成によれば、マルチタスク評価部は、第１タスクに対するユーザの回答の正解率及び第２タスクに対するユーザの運動の達成率の両方を総合的に評価する。第２選択部は、マルチタスク評価部の評価結果に基づいて、次の第２タスクを選択する。よって、前回の第１タスクに対する正解率及び前回の第２タスクに対するユーザの運動の達成率の両方を総合的に評価した評価結果に応じて、次回の第２タスクとして適切なタスクをユーザに提供することができる。これにより、ユーザの身体及び脳等への負担を減らしてユーザに適度な運動を行わせつつ、認知症予防及び脳機能の向上等を達成できる。
【００４３】
好ましくは、第１タスク評価部での評価結果に基づいて、評価結果を出力する評価結果出力部をさらに含む。
【００４４】
上記構成によれば、ユーザは、問題である第１タスクに対して回答すると、評価結果出力部を介して評価結果を受け取ることができる。よって、例えば、ユーザは第１タスクをどの程度達成出来たかを把握することができる。また、例えば評価結果に応じた出力がなされることで、ユーザに対して達成感を感じさせたり、第１タスクへの回答に対する意欲を増加させることができる。
【００４５】
本発明の一態様に係るタスク提供プログラムは、ユーザに回答を要求する問題である少なくとも１つの第１タスクを格納する第１タスク格納部を有するコンピュータにより実行される。タスク提供プログラムは、第１選択ステップと、第１読出ステップと、変換信号提供ステップと、をコンピュータに実行させるプログラムである。
【００４６】
第１選択ステップは、ユーザに回答を要求する問題である第１タスクの選択を受け付け、第１タスクを選択する。第１読出ステップは、第１選択部により選択された第１タスクを、第１タスク格納部から読み出す。変換信号提供ステップは、第１読出部が読み出した第１タスクを、ユーザが音として認識可能な信号に変換する。
上記構成によれば、上述したタスク提供装置と同様の作用効果を奏する。
【００４７】
本発明の一態様に係る記録媒体は、上記タスク提供プログラムを記録したコンピュータ読み取り可能な記録媒体である。
【００４８】
上記構成によれば、上述したタスク提供装置と同様の作用効果を奏する。
【００４９】
本発明の一態様に係るタスク提供システムは、上述のタスク提供装置と、音伝達装置と、を備える。音伝達装置は、信号変換部から変換後の信号を受信し、ユーザに音信号を伝達する。
【００５０】
上記構成によれば、上述したタスク提供装置と同様の作用効果を奏する。
【発明の効果】
【００５１】
本発明によれば、小型化かつ携帯可能なタスク提供装置、そのタスク提供装置に用いられるタスク提供プログラム、そのタスク提供プログラムを記録した記録媒体、及びタスク提供装置を含むタスク提供システムを提供することができる。
【図面の簡単な説明】
【００５２】
【図１】本発明の一実施形態例に係るデュアルタスクを行うユーザを示す一例である。
【図２】タスク提供システム１００に含まれる音伝達装置１００ｂがユーザに適用されている一例を示す説明図である。
【図３】タスク提供システム１００のハードウェア構成の一例を示すブロック図である。
【図４】タスク提供装置１００ａのＣＰＵ１０、ＲＯＭ１１及びＲＡＭ１２に含まれる機能構成の一例を示すブロック図である。
【図５】ＲＯＭ１１及び／又はＲＡＭ１２に記憶されている第１タスク及び第２タスクの一例である。
【図６】ＲＯＭ１１及び／又はＲＡＭ１２に記憶されている第１タスク及び第２タスクの一例である。
【図７】タスク提供システム１００における全体の処理の流れを示すフローチャートの一例である。
【図８Ａ】第１タスク読出処理の流れを示すフローチャートの一例である。
【図８Ｂ】第２タスク読出処理の流れを示すフローチャートの一例である。
【図９Ａ】第１タスク評価処理の流れを示すフローチャートの一例である。
【図９Ｂ】第２タスク評価処理の流れを示すフローチャートの一例である。
【図９Ｃ】マルチタスク評価処理の流れを示すフローチャートの一例である。
【図１０】タスク提供装置１０１ａの機能構成の一例を示すブロック図である。
【図１１】タスク提供装置１０２ａの機能構成の一例を示すブロック図である。
【図１２】タスク提供装置１０３ａの機能構成の一例を示すブロック図である。
【図１３】タスク提供装置１０４ａの機能構成の一例を示すブロック図である。
【図１４】その他の実施形態に係るタスク提供システム１００−１のハードウェア構成の一例を示すブロック図である。
【発明を実施するための形態】
【００５３】
以下、図面を参照しながら、本発明の実施形態について説明する。なお、以下の実施形態は、本発明の具体例であって、本発明の技術的範囲を限定するものではない。
【００５４】
＜実施形態＞
以下に、図面を用いて本実施形態に係るタスク提供システム１００について説明する。
【００５５】
図１は、本実施形態に係るタスク提供システム１００をユーザに適用している一例を示す説明図である。図２は、タスク提供システム１００に含まれる音伝達装置１００ｂがユーザに適用されている一例を示す説明図である。
【００５６】
タスク提供システム１００は、ユーザに運動（第２タスクに基づく運動）をさせつつ、ユーザに問題に対して回答（第１タスクに基づく回答）させるという２つの課題を行わせるためのシステムである。以下では、第１タスクをユーザに対して回答を要求するタスクと定義し、第２タスクをユーザに運動を行わせるためのタスクと定義する。
【００５７】
図１に示すように、タスク提供システム１００は、タスク提供装置１００ａと、音伝達装置１００ｂとを含む。
【００５８】
タスク提供装置１００ａは、第１タスク及び第２タスクを制御するための装置である。第１タスク及び第２タスクの制御には、ユーザへの第１タスク及び第２タスクの提供、第１タスク及び第２タスクに基づく評価、その評価結果のユーザへの提供などが含まれる。タスク提供装置１００ａは、例えば図１に示すように、ユーザの手首等に、例えばバンド等の装着部材によって装着される。タスク提供装置１００ａからは、第１タスク及び第２タスクに基づく信号が音伝達装置１００ｂに送信される。タスク提供装置１００ａと音伝達装置１００ｂとの間の信号の送受信は、有線及び無線のどちらを用いて行われてもよい。ただし、無線での信号の送受信の場合には別途の配線が不要であり、ユーザの動きの妨げにならず好ましい。
【００５９】
音伝達装置１００ｂは、音信号を伝達可能な装置である。音伝達装置１００ｂは、タスク提供装置１００ａからの第１タスク及び第２タスクに基づく信号を、音としてユーザに伝達する。本実施形態では、音伝達装置は１００ｂは骨伝導伝達装置である。音伝達装置１００ｂは、例えば図２に示すようにユーザの片方の耳の外側に引っかけるように取り付けられる。なお、音伝達装置１００ｂは、ユーザの両方の耳の外側に引っかけるように取り付けられてもよい。また、音伝達装置１００ｂは、耳に限定されず、ユーザの頭部のあらゆる位置に取り付け可能である。さらには、音伝達装置は１００ｂ、ユーザに音を伝達できるのであれば、その取付位置は頭部に限定されない。
【００６０】
図１では、ユーザは、第２タスクに基づく運動としてノルディックウォーキングを行っている。ノルディックウォーキングとは、図１に示すように一組の２本のポール２００を用いて歩行を補助しながら運動を行うエクササイズである。例えば、ユーザはポール２００の一端である把持部２００ａを手で把持し、ポール２００の他端である支持部２００ｂで地面を支持する。さらに、ユーザは、タスク提供装置１００ａから、ユーザに回答を要求する第１タスクの提供を受けている。つまり、タスク提供装置１００ａは、音伝達装置１００ｂを介してユーザに第１タスクを音により提供している。よって、ユーザは、ノルディックウォーキングによる運動（第２タスクに基づく運動）を行いながら、第１タスクである問題に回答できる。
【００６１】
このように、タスク提供システム１００を使用するユーザは、第２タスクに基づいた運動を行いつつ、第１タスクに基づいた回答を行うという、２つの作業を行う必要がある。よって、ユーザにデュアルタスクを行わせて、運動機能の向上とともに、認知症予防及び脳機能の向上等を達成することができる。
【００６２】
なお、図１では、ユーザが行う運動としてノルディックウォーキングを例に挙げて説明したが、ユーザが行う運動はこれに限定されない。ユーザが行う運動は、単なるウォーキング及びジョギング等であってもよい。また、ユーザが行う運動は、例えば、サイクリング装置を用いて、ユーザが自転車をこぐような運動であってもよい。また、ユーザが行う運動は、例えば、腹筋、背筋及び腕筋等を鍛えるための運動であってもよい。さらには、ユーザが行う運動には、手を上げる、手を下げる、足を上げる、足を下げるなどの手足を動かす運動、その他、指、腕等を動かす運動が含まれてもよい。
以下に、タスク提供システム１００のハードウェア構成について説明する。
【００６３】
（１）タスク提供システム１００のハードウェア構成
図３は、タスク提供システム１００のハードウェア構成の一例を示すブロック図である。タスク提供システム１００は、タスク提供装置１００ａと、音伝達装置１００ｂとを含む。
【００６４】
タスク提供装置１００ａは、ＣＰＵ（Central Processing Unit）１０、ＲＯＭ（Read Only Memory）１１、ＲＡＭ（Random Access Memory）１２、入力装置１３、骨伝導センサ１４、結果出力装置１５、送受信装置１６を含む。タスク提供装置１００ａは、このような構成により、第１タスク及び第２タスクを、音伝達装置１００ｂを介してユーザに提供する。タスク提供装置１００ａについては後述する。
【００６５】
音伝達装置１００ｂは、送受信装置２０及び骨伝導伝達装置２１を含む。送受信装置２０は、タスク提供装置１００ａとの間で信号を送受信する。送受信装置２０がタスク提供装置１００ａから受信する受信信号には、第１タスク及び第２タスクをユーザに提供するための信号が含まれる。その他、受信信号には、第１タスク及び第２タスクに基づいた評価結果を示す信号等が含まれてもよい。また、送受信装置２０がタスク提供装置１００ａに送信する送信信号には、音伝達装置１００ｂの不具合を示すエラー信号等が含まれてもよい。
【００６６】
骨伝導伝達装置２１は、送受信装置２０を介してタスク提供装置１００ａから送信された信号を受信する。例えば、骨伝導伝達装置２１は、第１タスク及び第２タスクをユーザに提供するための信号（後述の変換信号）を受信し、骨伝導により第１タスク及び第２タスクをユーザに提供する。よって、ユーザは第１タスク及び第２タスクについて、骨伝導を介して理解し、第２タスクに基づいた運動を行いつつ、第１タスクに基づいた回答を行うことができる。ここで、骨伝導とは、例えば、頭蓋骨を介して直接的に音を聴覚神経に伝える方法である。
【００６７】
また、例えば、骨伝導伝達装置２１は、第１タスク及び第２タスクに基づいた評価結果を受信し、骨伝導により評価結果をユーザに提示してもよい。
【００６８】
その他、骨伝導伝達装置２１は、骨伝導伝達装置２１の不具合を示すエラー信号を、送受信装置２０を介してタスク提供装置１００ａに送信してもよい。
【００６９】
（２）タスク提供装置１００ａのハードウェア構成
次に、タスク提供装置１００ａのハードウェア構成について説明する。
【００７０】
（２−１）入力装置１３、骨伝導センサ１４
入力装置１３は、例えば押し下げ式のボタン、入力領域が設けられたタッチパネル等の操作部からなる。この入力装置は、例えば、ユーザから第１タスク及び第２タスクの指定を受け付ける。その他、入力装置１３は、ユーザの音声を受け付けるマイク等であってもよい。この場合、マイクからなる入力装置１３は、ユーザが発声した音声に基づいて、ユーザから第１タスク及び第２タスクの指定を受け付ける。入力装置１３は、受け付けた第１タスク及び第２タスクの指定を、ＣＰＵ１０に出力する。
【００７１】
骨伝導センサ１４は、ユーザから第１タスクに基づく回答を受け付ける。ユーザの第１タスクに基づく回答には、例えば、指等を用いた回答が含まれる。例えば、回答には、親指で人差し指を軽く叩く、人差し指、中指または薬指等で親指の付け根の腹等を叩く動作等が含まれる。また、回答には、ユーザが把持しているポール２００等の運動器具及び運動補助器具を指等で叩く動作が含まれる。このようなユーザの動きに基づいた振動を、骨伝導センサ１４が検出する。また、骨伝導センサ１４は、ユーザが発した音声によって、ユーザから第１タスクに対する回答を受け付けることができる。骨伝導センサ１４は、受け付けた第１タスクに基づく回答を、ＣＰＵ１０に出力する。
【００７２】
なお、入力装置１３は、骨伝導センサ１４の代わりに、第１タスクに基づいたユーザの回答を受け付けてもよい。例えば、ボタン及びタッチパネル等の操作部からなる入力装置１３は、ユーザの操作部の操作を介して第１タスクに基づいた回答を受け付けてもよい。また、例えば、マイクからなる入力装置１３は、ユーザが発声した音声に基づいて、第１タスクに基づいた回答を受け付けてもよい。また、例えば、加速度センサ等からなりユーザの動きを検出可能な入力装置１３は、ユーザの手、腕、足等の動きに基づいて、第１タスクに基づいた回答を受け付けてもよい。ユーザの手、腕、足等の動きには、手を上げる、手を下げる、腕を上げる、腕を下げる、足を上げる、足を下げるなどの動作が含まれる。
【００７３】
また、骨伝導センサ１４は、ユーザから第２タスクに基づく運動の結果を受け付けてもよい。この場合、第２タスクに基づく運動は、例えば骨伝導センサ１４により検出可能な運動である。骨伝導センサ１４により検出可能な運動は、例えば、親指で人差し指を軽く叩く、人差し指、中指または薬指等で親指の付け根の腹等を叩く動作等である。また、このような運動には、例えば、ユーザが把持しているポール２００等の運動器具及び運動補助器具を指等で叩く動作が含まれる。
【００７４】
また、加速度センサ等のユーザの動きを取得可能な入力装置１３が、ユーザから第２タスクに基づく運動の結果、つまりどの程度の運動をしたかなどを含む運動量等を受け付けてもよい。例えば加速度の大きさに応じてユーザの運動量を把握することができる。その他、ユーザの自己申告に基づいて、操作部及びマイク等からなる入力装置１３が、ユーザから第２タスクに基づく運動の結果を受け付けてもよい。
【００７５】
（２−２）結果出力装置１５
結果出力装置１５は、後述のＣＰＵ１０において生成された、第１タスク及び第２タスクに基づいた評価結果を示す信号を受信し、評価結果を出力する。結果出力装置１５は、例えば小型のディスプレイ及びスピーカ等である。結果出力装置１５がディスプレイの場合には、評価結果が画面によりユーザに提示される。一方、結果出力装置１５がスピーカである場合には、評価結果が音によりユーザに提示される。
【００７６】
なお、上述の通り、第１タスク及び第２タスクに基づいた評価結果を、骨伝導伝達装置２１が骨伝導によってユーザに提示してもよい。この場合において、結果出力装置１５が設けられている場合は、ユーザはタスク提供装置１００ａ側の結果出力装置１５を介して評価結果を確認できるとともに、骨伝導伝達装置２１を介して骨伝導によっても評価結果を確認できる。なお、骨伝導伝達装置２１が評価結果をユーザに提示する場合には、結果出力装置１５は設けられていなくてもよい。
【００７７】
（２−３）送受信装置１６
送受信装置１６は、音伝達装置１００ｂとの間で信号の送受信を行う。例えば、送受信装置１６は、ＣＰＵ１０から信号を受信し、音伝達装置１００ｂに送信する。送受信装置１６から音伝達装置１００ｂに送信される送信信号には、第１タスク及び第２タスクをユーザに提供するための信号、第１タスク及び第２タスクに基づいた評価結果を示す信号等が含まれる。送受信装置１６は、音伝達装置１００ｂから音伝達装置１００ｂの不具合を示すエラー信号等を受信し、ＣＰＵ１０に出力してもよい。この場合、ＣＰＵ１０は、結果出力装置１５等を用いて、エラーの発生をユーザに提示する。また、ＣＰＵ１０は、エラー解消のための処理を行ってもよい。
【００７８】
（２−４）ＣＰＵ１０、ＲＯＭ１１、ＲＡＭ１２
ＣＰＵ１０はＲＯＭ１１に格納されたプログラムに基づいて、各種機能を実行する機能部である。ＲＯＭ１１は、各種プログラムが格納された記憶部である。ＲＡＭ１２は、ＣＯＵ１０がプログラムを実行する際の作業領域である。
【００７９】
（３）タスク提供装置１００ａの機能構成
次に、タスク提供装置１００ａの機能構成について説明する。タスク提供装置１００ａの機能部は、主にＣＰＵ１０、ＲＯＭ１１及びＲＡＭ１２に含まれる。図４は、タスク提供装置１００ａのＣＰＵ１０、ＲＯＭ１１及びＲＡＭ１２に含まれる機能構成の一例を示すブロック図である。図５及び図６は、ＲＯＭ１１及び／又はＲＡＭ１２に記憶されている第１タスク及び第２タスクの一例である。
【００８０】
ＣＰＵ１０は、第１選択部３０、第１読出部３１、信号変換部３３、第２選択部３４、第２読出部３５、回答受付部４０、第１タスク評価部４１、第２タスク評価部４２、マルチタスク評価部４３及び評価結果出力部４４を含む。
【００８１】
ＲＯＭ１１及び／又はＲＡＭ１２は、第１タスク格納部３２及び第２タスク格納部３６を含む。
【００８２】
（ａ）第１タスク格納部３２
図５に示すように、第１タスク格納部３２は、複数の第１タスクを格納している。また、各第１タスクは複数の問題を含み、複数の問題ごとに回答が対応付けられている。例えば、第１タスクＮｏ１には、複数の問題１ａ、問題１ｂ・・・と、問題ごとの回答１ａ、回答１ｂ・・・と、が対応付けられている。
【００８３】
ここで、第１タスクとは、ユーザに回答を要求する問題である。第１タスクとしては、例えば、ユーザにリズムに合わせた動作を要求するリズム問題、ユーザに計算結果を求める計算問題、ユーザにクイズを出して回答を求めるクイズ問題等が挙げられる。
【００８４】
また、第１タスクに基づいたユーザの回答としては、例えば、体を用いた回答と、口からの音声による回答と、が含まれる。体を用いた回答としては、指示及びリズム等からなる第１タスクに基づいたユーザの動作が挙げられる。例えば、体を用いた回答には、指、手、腕、足等の動きを用いた回答が含まれ、例えば、手を上げる、手を下げる、腕を上げる、腕を下げる、足を上げる、足を下げるなどの動作が含まれる。その他、体を用いた回答には、例えば、左右の両手の少なくともいずれかにおいて、親指で人差し指を軽く叩く、人差し指、中指または薬指等で親指の付け根の腹等を叩く動作を含む。
【００８５】
例えば、リズム問題である第１タスクは、所定のリズムに合わせてユーザに親指等で、ポール２００又は親指以外の指をたたく動作を要求する。例えば、計算問題である第１タスクは、ユーザに所定の計算問題を提供し、その計算結果に応じた回数、親指等でポール２００又は親指以外の指をたたく動作を要求する。あるいは、この第１タスクは、計算結果に応じた回答を、ユーザが声に出すことを要求してもよい。例えば、クイズ問題である第１タスクは、クイズ問題に応じた回答を、ユーザが声に出すことを要求する。
【００８６】
（ｂ）第２タスク格納部３６
図６示すように、第２タスク格納部３６は、複数の第２タスクを格納している。また、各第２タスクごとに、最大運動量Ｍａｘが対応付けられている。例えば、第２タスクＮｏ１には最大運動量Ｍａｘ１が対応付けられている。
【００８７】
ここで、第２タスクとは、ユーザに運動を行わせるためのタスクである。第２タスクとしては、例えば、ユーザに運動を行わせるためのリズム及びメロディー等を含む音楽、または運動指示等が挙げられる。
【００８８】
また、最大運動量は、ユーザが第２タスクに基づいて行った運動の達成度を評価する指標である。具体的に、最大運動量は、第２タスクを行った時にユーザが行う運動量の最大量であり、例えば運動を行った距離及び時間等に応じた最大消費カロリー等によって表される。その他、運動中の加速度を累積した最大量等によって表される。ただし、第２タスクの達成度を算出できればよく、達成度を評価する指標は、最大運動量に限られない。例えば、第２タスクの達成度を評価する指標は、ユーザが運動を行った距離及び時間等に応じて変化するような数式に置き換え可能である。
【００８９】
（ｃ）第１選択部３０
第１選択部３０は、第１タスク格納部３２内の第１タスクの選択を受け付ける。例えば、第１選択部３０は、操作部及びマイク等からなる入力装置１３を介して、ユーザから第１タスクの指定を受け付ける。そして、第１選択部３０は、指定された第１タスクを第１タスク格納部３２において選択する。
【００９０】
また、第１選択部３０は、任意に第１タスクを第１タスク格納部３２において選択してもよい。また、第１選択部３０は、予め定められた所定の基準に基づいて、第１タスク格納部３２から第１タスクを選択してもよい。また、タスク提供装置１００ａが他の運動器具とともに用いられる場合において、第１選択部３０は、他の運動器具から第１タスクの選択を受け付けてもよい。例えば、本実施形態のようにノルディックウォーキングのポール２００にタスク提供装置１００ａが装着されると、ポール２００に設けられた機能部（図示せず）から、例えば、ノルディックウォーキングに対応した第１タスクの選択を第１選択部３０が受け付けてもよい。
【００９１】
また、例えば、第１選択部３０は、後述の第１タスク評価部４１の評価結果を受け付け、評価結果に基づいて第１タスクを第１タスク格納部３２において選択してもよい。例えば、第１選択部３０は、第１タスクに対する回答の評価結果、つまり第１タスクに対するユーザの回答の正解率に基づいて、次の第１タスクを選択する。よって、前回の第１タスクに対する正解率に応じて、次回の第１タスクとして適切なタスクをユーザに提供することができる。ユーザにとって適切な第１タスクが選択されるため、ユーザの脳等への負担を減らしつつ、認知症予防及び脳機能の向上等を達成できる。
【００９２】
また、例えば、第１選択部３０は、後述のマルチタスク評価部４３の評価結果を受け付け、評価結果に基づいて第１タスクを第１タスク格納部３２において選択してもよい。この場合、例えば、第１選択部３０は、マルチタスク評価部４３の評価結果の高低に応じて、第１タスク格納部３２から次に用いる第１タスクを選択する。例えば、第１選択部３０は、評価結果が低い場合には、前回の第１タスクよりも簡単な第１タスクを選択する。逆に、例えば、第１選択部３０は、評価結果が高い場合には、前回の第１タスクより難しい第１タスクを選択する。
【００９３】
より具体的には、後述のマルチタスク評価部４３は、第１タスクに対するユーザの回答の正解率及び第２タスクに対するユーザの運動の達成率の両方を総合的に評価する。第１選択部３０は、マルチタスク評価部４３の評価結果に基づいて、次の第１タスクを選択する。よって、前回の第１タスクに対する正解率及び前回の第２タスクに対するユーザの運動の達成率の両方を総合的に評価した評価結果に応じて、次回の第１タスクとして適切なタスクをユーザに提供することができる。これにより、ユーザの身体及び脳等への負担を減らしてユーザに適度な運動を行わせつつ、認知症予防及び脳機能の向上等を達成できる。
【００９４】
また、第１選択部３０は、後述の第２選択部３４から選択可能信号を受信し、この選択可能信号に基づいて第１タスク格納部３２において第１タスクを選択可能となってもよい。ここで、選択可能信号とは、第１選択部３０による第１タスク格納部３２からの第１タスクの選択を可能とする信号である。この選択可能信号は、第２選択部３４が第２タスクの選択を受け付けると、第２選択部３４が生成する。
第１選択部３０は、どの第１タスクを選択したかについて第１読出部３１に出力する。
【００９５】
（ｄ）第１読出部３１
第１読出部３１は、第１選択部３０が第１タスク格納部３２において選択した第１タスクを、第１タスク格納部３２から読み出す。第１読出部３１は、読みだした第１タスクを信号変換部３３に出力する。
【００９６】
また、第１読出部３１は、どの第１タスクのどの問題を読みだしているかを、第１タスク評価部４１に出力する。例えば、第１読出部３１は、第１タスクＮｏ１の問題１ｂを読み出して、音伝達装置１００ｂに提供していることを第１タスク評価部４１に出力する。
【００９７】
（ｅ）第２選択部３４
第２選択部３４は、第２タスク格納部３６内の第２タスクの選択を受け付ける。例えば、第２選択部３４は、操作部及びマイク等からなる入力装置１３を介して、ユーザから第２タスクの指定を受け付ける。そして、第２選択部３４は、指定された第２タスクを第２タスク格納部３６において選択する。
【００９８】
また、第２選択部３４は、任意に第２タスクを第２タスク格納部３６において選択してもよい。また、第２選択部３４は、予め定められた所定の基準に基づいて、第２タスク格納部３６から第２タスクを選択してもよい。また、タスク提供装置１００ａが他の運動器具とともに用いられる場合において、第２選択部３４は、他の運動器具から第２タスクの選択を受け付けてもよい。例えば、本実施形態のようにノルディックウォーキングのポール２００にタスク提供装置１００ａが装着されると、ポール２００に設けられた機能部（図示せず）から、例えば、ノルディックウォーキングに対応した第２タスクの選択を第２選択部３４が受け付けてもよい。
【００９９】
また、例えば、第２選択部３４は、後述の第２タスク評価部４２の評価結果を受け付け、評価結果に基づいて第２タスクを第２タスク格納部３６において選択してもよい。例えば、第２選択部３４は、第２タスクに対するユーザの運動の評価結果、つまり第２タスクに対するユーザの運動の達成率に基づいて、次の第２タスクを選択する。よって、前回の第２タスクに対する運動の達成率に応じて、次回の第２タスクとして適切なタスクをユーザに提供することができる。ユーザにとって適切な第２タスクが選択されるため、ユーザの身体等への負担を減らしつつ、運動機能の向上を達成できる。また、ユーザの身体等への過度の負担を減らすことができるため、ユーザに適度な運動を行わせつつ、認知症予防及び脳機能の向上等を達成できる。
【０１００】
また、例えば、第２選択部３４は、後述のマルチタスク評価部４３の評価結果を受け付け、評価結果に基づいて第１タスクを第１タスク格納部３２において選択してもよい。この場合、例えば、第２選択部３４は、マルチタスク評価部４３の評価結果の高低に応じて、第２タスク格納部３６から次に用いる第２タスクを選択する。例えば、第２選択部３４は、評価結果が低い場合には、前回の第２タスクよりも簡単な第２タスクを選択する。逆に、例えば、第２選択部３４は、評価結果が高い場合には、前回の第２タスクより難しい第２タスクを選択する。
【０１０１】
より具体的には、マルチタスク評価部４３は、第１タスクに対するユーザの回答の正解率及び第２タスクに対するユーザの運動の達成率の両方を総合的に評価する。第２選択部３４は、マルチタスク評価部４３の評価結果に基づいて、次の第２タスクを選択する。よって、前回の第１タスクに対する正解率及び前回の第２タスクに対するユーザの運動の達成率の両方を総合的に評価した評価結果に応じて、次回の第２タスクとして適切なタスクをユーザに提供することができる。これにより、ユーザの身体及び脳等への負担を減らしてユーザに適度な運動を行わせつつ、認知症予防及び脳機能の向上等を達成できる。
【０１０２】
また、第２選択部３４は、選択可能信号を生成するように設定されている場合には、ユーザから第２タスクの選択を受け付けると、選択可能信号を生成してもよい。また、第２選択部３４は、第２選択部３４が第２タスク評価部４２の評価結果又はマルチタスク評価部４３の評価結果に基づいた第２タスクの選択を受け付けると、選択可能信号を生成してもよい。選択可能信号は、第１選択部３０による第１タスク格納部３２からの第１タスクの選択を可能にする信号である。第２選択部３４は、選択可能信号を生成すると、第１選択部３０に出力する。第１選択部３０は、第２選択部３４から選択可能信号を受信すると、第１タスク格納部３２内の第１タスクの選択が可能な状態となる。
【０１０３】
このように選択可能信号を生成することで、ユーザに運動を行わせるための第２タスクが選択された後に、ユーザに回答を要求する問題である第１タスクが選択可能となる。よって、ユーザに運動を行わせるための第２タスクが選択されていないのに、問題である第１タスクが選択されるという状況を回避することができる。そのため、ユーザに対して、第２タスクに基づいた運動を行わせつつ、第１タスクに基づいた回答を行わせるという、２つの作業を行わせることができる。これにより、ユーザにデュアルタスクを行わせて、運動機能の向上とともに、認知症予防及び脳機能の向上等を達成することができる。
第２選択部３４は、どの第２タスクを選択したかについて第２読出部３５に出力する。
【０１０４】
（ｆ）第２読出部３５
第２読出部３５は、第２選択部３４が第２タスク格納部３６において選択した第２タスクを、第２タスク格納部３６から読み出す。第２読出部３５は、読みだした第２タスクを信号変換部３３に出力する。
【０１０５】
また、第２読出部３５は、どの第２タスクを読みだしているかを、第２タスク評価部４２に出力する。例えば、第２読出部３５は、第２タスクＮｏ２を読み出していることを第２タスク評価部４２に出力する。
【０１０６】
（ｇ）信号変換部３３
信号変換部３３は、第１読出部３１から第１タスクを受信し、第２読出部３５から第２タスクを受信する。信号変換部３３は、第１タスク及び第２タスクを、ユーザが音として認識可能な信号に変換し、変換信号を生成する。また、信号変換部３３は、変換信号を、送受信装置１６を介して音伝達装置１００ｂに出力する。なお、ユーザが音として認識可能な信号とは、本実施形態では、骨伝導によりユーザが音として認識可能な信号である。
【０１０７】
音伝達装置１００ｂの骨伝導伝達装置２１は、送受信装置２０を介して、信号変換部３３から変換信号を受信する。骨伝導伝達装置２１は、変換信号に基づいて、骨伝導により第１タスク及び第２タスクをユーザに提供する。
【０１０８】
このように第１タスク及び第２タスクは、骨伝導によりユーザが音として認識可能な信号に変換される。そして、第１タスク及び第２タスクは、例えばユーザの頭部等に取り付けられた骨伝導伝達装置２１を介してユーザに提供される。骨伝導により第１タスク及び第２タスクがユーザに伝達されるため、例えば頭蓋骨の振動によりユーザは第１タスク及び第２タスクの内容を聞き取ることができる。
【０１０９】
また、骨伝導伝達装置２１が、例えば、ユーザの耳以外の頭部に取り付けられ、又は耳の外側に取り付けられる場合等には、ユーザの耳は塞がれない。よって、ユーザは耳により周囲の音を聞きつつ、第１タスク及び第２タスクを骨伝導により聞き取ることができる。
【０１１０】
（ｈ）回答受付部４０
回答受付部４０は、第１タスクに基づく回答をユーザから受け付ける。例えば、回答受付部４０は、骨伝導センサ１４を介して第１タスクに基づく回答をユーザから受け付ける。
【０１１１】
より具体的には、ユーザが第１タスクに対して回答を行った場合には、骨伝導センサ１４を介して回答受付部４０がその回答を受け付ける。なお、骨伝導センサ１４は、例えば振動を検知するセンサであり、ユーザの指、腕及び足等の体の動き、及び声などを検知する。
【０１１２】
骨伝導センサ１４は、例えば、指、腕及び足等の体の動きによって、ユーザから第１タスクに対する回答を受け付ける。この場合、ユーザの指等の体の動きを骨伝導センサ１４により直接的に確実に検出することができる。回答受付部４０が骨伝導センサ１４を介して回答を受け付ける場合には、別途の押しボタンなどの操作部、例えば入力装置１３が不要であり、タスク提供装置１００ａの構成を簡素化して小型化することができる。
【０１１３】
また、骨伝導センサ１４は、例えば、ユーザが発した音声によって、ユーザから第１タスクに対する回答を受け付ける。この場合、ユーザの音声を骨伝導センサ１４により直接的に確実に検出することができる。例えば、ユーザの周囲の音及びユーザ以外の周囲の人の音声と、ユーザの音声とを区別して、ユーザの音声を選択的に骨伝導センサ１４により確実に検出することができる。回答受付部４０が骨伝導センサ１４を介して回答を受け付ける場合には、別途のマイクなどの入力部、例えば入力装置１３が不要であり、タスク提供装置１００ａの構成を簡素化して小型化することができる。
【０１１４】
その他、回答受付部４０は、操作部又はマイク等からなる入力装置１３を介して、第１タスクに基づく回答をユーザから受け付けてもよい。
【０１１５】
（ｉ）第１タスク評価部４１
第１タスク評価部４１は、第１読出部３１からどの第１タスクのどの問題を読みだしているかを取得する。第１タスク評価部４１は、例えば、第１タスクＮｏ１の問題１ｂを読み出して、音伝達装置１００ｂに提供していることを第１読出部３１から取得する。
【０１１６】
また、第１タスク評価部４１は、第１タスクに基づいてユーザに提供されている問題について、回答受付部４０からユーザの回答を取得する。
【０１１７】
第１タスク評価部４１は、現在ユーザに提供されている第１タスクの問題の回答と、ユーザの回答と、の一致又は不一致、つまり正解か否かを評価する。つまり、第１タスク評価部４１は、第１読出部３１から音伝達装置１００ｂに提供されている問題の回答と、回答受付部４０から受け付けているユーザの回答と、の一致又は不一致を評価する。例えば、第１読出部３１が第１タスクＮｏ１の問題１ｂを読み出している場合、第１タスク評価部４１は、第１タスク格納部３２から第１タスクＮｏ１の問題１ｂの回答として、回答１ｂを取得する。次に、第１タスク評価部４１は、回答１ｂと、ユーザの回答とを評価する。
【０１１８】
第１タスク評価部４１は、例えば一の第１タスクの各問題について評価を行い、各問題の評価を集計して、一の第１タスクの評価結果とする。あるいは、第１タスク評価部４１は、各問題についての評価をそのまま評価結果として取得してもよい。あるいは、第１タスク評価部４１は、関連する問題のグループごとに評価結果を取得してもよい。
【０１１９】
なお、第１タスク評価部４１は、一致及び不一致以外に、一の第１タスクの各問題についてそれぞれ回答の一致度を評価してもよい。
【０１２０】
第１タスク評価部４１での評価結果、例えば回答の正解率を分析することで、認知症予防及び脳機能の向上等の達成度を確認することができる。
【０１２１】
第１タスク評価部４１は、第１タスクに基づく回答の評価結果を評価結果出力部４４に出力する。また、第１タスク評価部４１は、この評価結果を第１タスクの選択に利用するように設定されている場合には、第１タスクに基づく回答の評価結果を、第１選択部３０に出力する。
【０１２２】
（ｊ）第２タスク評価部４２
第２タスク評価部４２は、第２読出部３５からどの第２タスクを読みだしているかを取得する。第２タスク評価部４２は、例えば、第２タスクＮｏ１を読み出して、音伝達装置１００ｂに提供していることを第２読出部３５から取得する。
【０１２３】
また、第２タスク評価部４２は、第２タスクに基づくユーザの運動の結果を取得する。運動の結果とは、どの程度の運動をしたかなどを含む運動量等である。例えば、第２タスク評価部４２は、加速度センサ等からのユーザの動きを取得可能な入力装置１３を介して、第２タスクに基づくユーザの運動の結果を受け付ける。なお、ユーザの動きを取得できるセンサであればよく、加速度センサに限定されない。その他、第２タスク評価部４２は、骨伝導センサ１４を介して第２タスクに基づくユーザの運動の結果を受け付けてもよい。また、第２タスク評価部４２は、操作部又はマイク等からなる入力装置１３を介して、ユーザの自己申告により第２タスクに基づく運動の結果を受け付けてもよい。
【０１２４】
第２タスク評価部４２は、現在ユーザに提供されている第２タスクについての最大運動量と、ユーザの運動量とを比較して、第２タスクに基づく運動の達成度を評価する。つまり、第２タスク評価部４２は、第２読出部３５から音伝達装置１００ｂに提供されている第２タスクに基づいて、ユーザの第２タスクに基づく運動の結果を評価する。例えば、第２読出部３５が第２タスクＮｏ１を読み出している場合、第２タスク評価部４２は、第１タスク格納部３２から第２タスクＮｏ１の最大運動量として、最大運動量Ｍａｘ１を取得する。次に、第２タスク評価部４２は、最大運動量Ｍａｘ１と、ユーザの運動の結果（ユーザの運動量）とを比較して運動の達成度を評価する。例えば、第２タスク評価部４２は、最大運動量Ｍａｘ１に対するユーザの運動の結果（ユーザの運動量）の割合に基づいて、運動の達成度を評価する。
【０１２５】
第２タスク評価部４２での評価結果、例えば運動の達成率に基づいて、ユーザがどの程度の運動を行ったかを分析することができる。
【０１２６】
第２タスク評価部４２は、第２タスクに基づく評価結果を評価結果出力部４４に出力する。また、第２タスク評価部４２は、この評価結果を第２タスクの選択に利用するように設定されている場合には、第２タスクに基づく評価結果を、第２選択部３４に出力する。
【０１２７】
（ｋ）マルチタスク評価部４３
マルチタスク評価部４３は、第１タスク評価部４１での評価結果（以下、第１評価結果という）と、第２タスク評価部４２の評価結果（以下、第２評価結果という）と、に基づいて、第１タスク及び第２タスクの達成度を総合的に評価し、総合的な評価結果を取得する。つまり、第１タスク及び第２タスクそれぞれに対する個別の評価ではなく、ユーザによるデュアルタスクの達成度を総合的に評価する。これによれば、運動機能の向上に対する評価と、認知症予防及び脳機能の向上等に対する評価とを総合的に把握することができる。
【０１２８】
例えば、第１タスクに基づいたユーザの回答の正解率が高くても、第２タスクに基づいたユーザの運動の達成率が低ければ、マルチタスクの評価は低くなる。逆に、例えば、第２タスクに基づいたユーザの運動の達成率が高くても、第１タスクに基づいたユーザの回答の正解率が低ければ、マルチタスクの評価は低くなる。結局、第１タスクに基づいたユーザの回答の正解率が高く、かつ、第２タスクに基づいたユーザの運動の達成率が高い場合に、マルチタスクの評価は高くなる。よって、マルチタスクの評価を参照することで、運動機能の向上とともに、認知症予防及び脳機能の向上等を達成できているかを把握することができる。
【０１２９】
例えば、マルチタスク評価部４３は、第１評価結果と第２評価結果との関係性を考慮した数式を有している。この数式は、例えば、第１評価結果が高くても第２評価結果が低ければ、総合的な評価が低くなるように定義されている。同様に、この数式は、例えば、第２評価結果が高くても第１評価結果が低ければ、総合的な評価が低くなるように定義されている。マルチタスク評価部４３は、このような数式等に基づいて、第１評価結果及び第２評価結果を総合的に評価する。
【０１３０】
マルチタスク評価部４３は、総合的な評価結果を評価結果出力部４４に出力する。また、マルチタスク評価部４３は、総合的な評価結果を第１タスク及び第２タスクの選択に利用するように設定されている場合には、総合的な評価結果を、第１選択部３０及び第２選択部３４に出力する。
【０１３１】
（ｌ）評価結果出力部４４
評価結果出力部４４は、第１タスク評価部４１での第１評価結果、第２タスク評価部４２での第２評価結果、及びマルチタスク評価部４３での総合的な評価結果を取得する。
【０１３２】
例えば、評価結果出力部４４は、これらの評価結果を、骨伝導伝達装置２１を介して骨伝導によりユーザに提示する。
【０１３３】
また、例えば、評価結果出力部４４は、これらの評価結果を、ディスプレイ及びスピーカ等の結果出力装置１５を介して映像及び音等によりユーザに提示する。
【０１３４】
評価結果出力部４４は、骨伝導伝達装置２１及び結果出力装置１５の両方を介して、評価結果をユーザに提示してもよい。あるいは、評価結果出力部４４は、骨伝導伝達装置２１又は結果出力装置１５のいずれかを介して、評価結果をユーザに提示してもよい。また、評価結果出力部４４は、第１評価結果、第２評価結果、及び総合的な評価結果ごとに、骨伝導伝達装置２１又は結果出力装置１５のいずれかを選択して、評価結果をユーザに提示してもよい。
【０１３５】
これによれば、ユーザは、問題である第１タスクに対して回答すると、骨伝導伝達装置２１又は結果出力装置１５によって第１評価結果を受け取ることができる。よって、例えば、ユーザは第１タスクをどの程度達成出来たかを把握することができる。また、例えば第１評価結果に応じた出力がなされることで、ユーザに対して達成感を感じさせたり、第１タスクへの回答に対する意欲を増加させることができる。
【０１３６】
その他、ユーザは、骨伝導伝達装置２１又は結果出力装置１５によって第２評価結果及び総合的な評価結果を受け取ることができる。よって、例えば、ユーザは、第２評価結果に基づいて、第２タスクによりどの程度運動を達成出来たかを把握することができる。また、例えば、ユーザは、総合的な評価結果に基づいて、第１タスクに対する回答の正解率及び第２タスクに基づいた運動の達成度の総合的な評価を把握することができる。これらにより、ユーザに対して達成感や、第１タスクへの回答及び第２タスクに基づく運動への意欲を増加させることができる。
【０１３７】
（３）処理の流れ
次に、図７〜図９Ｃを用いて、本実施形態に係るタスク提供システム１００における処理の流れについて説明する。
【０１３８】
（３−１）全体の処理の流れ
図７は、タスク提供システム１００における全体の処理の流れを示すフローチャートの一例である。
【０１３９】
ステップＳ１０：タスク読出処理において、第１タスク及び第２タスクが読み出され、ユーザに提供される。タスク読出処理については、後述する。
【０１４０】
ステップＳ２０：信号変換部３３は、第１読出部３１から受信した第１タスクと、第２読出部３５から受信した第２タスクとを、ユーザが音として認識可能な信号に変換し、変換信号を音伝達装置１００ｂに出力する。
【０１４１】
ステップＳ３０：タスク評価処理において、第１タスクに基づくユーザの回答及び第２タスクに基づくユーザの運動結果が評価される。さらにタスク評価処理では、第１タスク及び第２タスクに基づいたユーザの応答を総合的に評価する。タスク評価処理については、後述する。
【０１４２】
ステップＳ４０：評価結果出力部４４は、第１タスクに基づく第１評価結果、第２タスクに基づく第２評価結果、及び総合的な評価結果を取得し、骨伝導伝達装置２１及び結果出力装置１５等を介して出力する。
【０１４３】
ステップＳ４０：第１タスク評価部４１は、第１評価結果を第１タスクの選択に利用するように設定されている場合には、第１評価結果を第１選択部３０に出力する（Ｙｅｓの場合）。同様に、第２タスク評価部４２は、第２評価結果を第２タスクの選択に利用するように設定されている場合には、第２評価結果を第２選択部３４に出力する（Ｙｅｓの場合）。同様に、マルチタスク評価部４３は、総合的な評価結果を第１タスク及び第２タスクの選択に利用するように設定されている場合には、総合的な評価結果を第１選択部３０及び第２選択部３４に出力する（Ｙｅｓの場合）。このようにステップＳ４０においてＹｅｓの場合は、ステップＳ１０に進む。
【０１４４】
一方、上記の評価結果を第１タスク及び第２タスクの選択に利用するように設定されていない場（Ｎｏの場合）には、処理を終了する。
【０１４５】
（３−２）タスク読出処理の流れ
次に、図８Ａ及び図８Ｂを用いて、図７のタスク読出処理の流れについて説明する。タスク読出処理は、図８Ａの第１タスク読出処理及び図８Ｂの第２タスク読出処理を含む。
【０１４６】
（ａ）第１タスク読出処理の流れ
図８Ａは、第１タスク読出処理の流れを示すフローチャートの一例である。
ステップＳ１１ａ：第１選択部３０は、第１タスク格納部３２内の第１タスクの選択を受け付ける。
【０１４７】
ステップＳ１１ｂ：第１選択部３０は、指定された第１タスクを第１タスク格納部３２において選択する。
【０１４８】
ステップＳ１１ｃ：第１読出部３１は、第１選択部３０が第１タスク格納部３２において選択した第１タスクを、第１タスク格納部３２から読み出す。第１読出部３１は、読みだした第１タスクを信号変換部３３及び第１タスク評価部４１に出力する。
【０１４９】
（ｂ）第２タスク読出処理の流れ
図８Ｂは、第２タスク読出処理の流れを示すフローチャートの一例である。
【０１５０】
ステップＳ１２ａ：第２選択部３４は、第２タスク格納部３６内の第２タスクの選択を受け付ける。
【０１５１】
ステップＳ１２ｂ：選択可能信号を生成するように設定されている場合には、ステップＳ１２ｃに進む（Ｙｅｓの場合）。一方、選択可能信号を生成するように設定されていない場合には、ステップＳ１２ｅに進む（Ｎｏの場合）。
【０１５２】
ステップＳ１２ｃ：第２選択部３４は、選択可能信号を生成するように設定されている場合には、ユーザから第２タスクの選択を受け付けると、第１タスクに対する選択可能信号を生成する。
【０１５３】
ステップＳ１２ｄ：第２選択部３４は、選択可能信号を第１選択部３０に出力する。
ステップＳ１２ｅ：第２選択部３４は、指定された第２タスクを第２タスク格納部３６において選択する。
【０１５４】
ステップＳ１２ｆ：第２読出部３５は、第２選択部３４が第２タスク格納部３６において選択した第２タスクを、第２タスク格納部３６から読み出す。第２読出部３５は、読みだした第２タスクを信号変換部３３及び第２タスク評価部４２に出力する。
【０１５５】
（３−３）タスク評価処理の流れ
次に、図９Ａ〜図９Ｃを用いて、図７のタスク評価処理の流れについて説明する。タスク評価処理は、図９Ａの第１タスク評価処理、図９Ｂの第２タスク評価処理、及び図９Ｃのマルチタスク評価処理を含む。
【０１５６】
（ａ）第１タスク評価処理の流れ
図９Ａは、第１タスク評価処理の流れを示すフローチャートの一例である。
【０１５７】
ステップＳ３１ａ：回答受付部４０は、第１タスクに基づく回答をユーザから受け付ける。
【０１５８】
ステップＳ３１ｂ：第１タスク評価部４１は、第１読出部３１から音伝達装置１００ｂに提供されている問題の回答と、回答受付部４０から受け付けているユーザの回答と、の一致又は不一致を評価し、第１評価結果を生成する。
【０１５９】
（ｂ）第２タスク評価処理の流れ
図９Ｂは、第２タスク評価処理の流れを示すフローチャートの一例である。
【０１６０】
ステップＳ３２ａ：第２タスク評価部４２は、第２タスクに基づくユーザの運動の結果を取得する。
【０１６１】
ステップＳ３２ｂ：第２タスク評価部４２は、第２読出部３５から音伝達装置１００ｂに提供されている第２タスクに基づいて、ユーザの第２タスクに基づく運動の結果を評価し、第２評価結果を生成する。
【０１６２】
（ｃ）マルチタスク評価処理の流れ
図９Ｃは、マルチタスク評価処理の流れを示すフローチャートの一例である。
【０１６３】
ステップＳ３３ａ：マルチタスク評価部４３は、第１タスク評価部４１から第１評価結果を受信する。
【０１６４】
ステップＳ３３ｂ：マルチタスク評価部４３は、第２タスク評価部４２から第２評価結果を受信する。
【０１６５】
ステップＳ３３ｃ：マルチタスク評価部４３は、第１評価結果と第２評価結果とに基づいて、第１タスク及び第２タスクの達成度を総合的に評価する。
【０１６６】
上記マルチタスク評価処理の流れにおいて、例えば、ステップＳ３３ａとステップＳ３３ｂとは逆であってもよい。
【０１６７】
また、前述の処理をコンピュータに実行させるコンピュータプログラム（タスク提供プログラム）は、本発明の範囲に含まれる。なお、コンピュータは、ユーザに回答を要求する問題である少なくとも１つの第１タスクを格納する第１タスク格納部３２と、ユーザに運動を行わせるための少なくとも１つの第２タスクを格納する第２タスク格納部３６と、を有する。なお、コンピュータに第１タスクを第１タスク格納部３２に格納し、第２タスクを第２タスク格納部３６に格納するステップが、コンピュータプログラムに含まれていてもよい。
【０１６８】
また、前述のコンピュータプログラム（タスク提供プログラム）を記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ（Compact Disc−Read Only Memory）、ＭＯ（Magneto Optical disk）、ＤＶＤ、ＤＶＤ−ＲＯＭ、ＤＶＤ−ＲＡＭ（ＤＶＤ−Random Access Memory）、ＢＤ（Blue-ray Disc）、ＵＳＢメモリ、半導体メモリなどを挙げることができる。前記コンピュータプログラムは、前記記録媒体に記録されたものに限られず、電気通信回線、無線又は有線通信回線、インターネットを代表とするネットワーク等を経由して伝送されるものであってもよい。
【０１６９】
上記構成によれば、信号変換部３３は、ユーザが第１タスク及び第２タスクを音として認識可能な信号に変換して、ユーザに第１タスク及び第２タスクを提供する。信号変換部３３が第１タスク及び第２タスクを変換した信号は、例えば、ユーザの頭部等に取り付けられた音伝達装置１００ｂを介してユーザに提供される。このように音伝達装置１００ｂはユーザに装着可能であり、ユーザの行動の自由度の制限は少ない。そのため、ユーザが可能な運動の範囲を広げることができる。
【０１７０】
以上によれば、上記タスク提供装置１００ａには、第１タスクをユーザに提示するための表示装置を組み合わせる必要がない。また、一般的に、イヤホン、ヘッドホン及び骨伝導伝達装置２１などの音伝達装置１００ｂは小型であり、タスク提供装置１００ａと音伝達装置１００ｂとを組み合わせても大型化を抑制できる。また、イヤホン、ヘッドホン及び骨伝導伝達装置２１などの音伝達装置１００ｂはユーザに装着可能であり、表示装置のように手で支持し、または所定の場所に設置する必要もない。よって、タスク提供装置１００ａと音伝達装置１００ｂとの組み合わせは携帯性にも優れている。このように上記タスク提供装置１００ａ又はタスク提供システム１００は、小型で携帯性にも優れるため、ユーザの自由度が向上し、結果としてユーザが可能な運動の範囲を広げることができる。
【０１７１】
＜その他の実施形態＞
（Ａ）
上記実施形態では、タスク提供装置１００ａは、図４に示す機能構成を有する。しかし、タスク提供装置１００ａの機能構成は多様に変更可能である。以下に多様なタスク提供装置の一例を示す。
【０１７２】
（タスク提供装置１０１ａ）
例えば、図１０に示すタスク提供装置１０１ａが提供されてよい。図１０は、タスク提供装置１０１ａの機能構成の一例を示すブロック図である。
【０１７３】
タスク提供装置１０１ａは、第１選択部３０、第１読出部３１、第１タスク格納部３２及び信号変換部３３を含む。図１０に示すタスク提供装置１０１ａは、ユーザに回答を要求する問題である第１タスクを提供する装置として機能する。タスク提供装置１０１ａが、第１選択部３０、第１読出部３１、第１タスク格納部３２及び信号変換部３３のみを含む点において上記実施形態と異なる。よって、上記実施形態と異なる点を中心に、以下にタスク提供装置１０１ａについて簡単に説明する。
【０１７４】
第１選択部３０は、入力装置１３介して、任意に、所定の基準に基づいて、又は他の運動器具からの入力に基づいて、第１タスク格納部３２から第１タスクを選択する。第１読出部３１は、第１選択部３０が選択した第１タスクを第１タスク格納部３２から読み出し、信号変換部３３に出力する。信号変換部３３は、第１タスクに基づいて変換信号を生成し、音伝達装置１００ｂに出力する。
【０１７５】
（タスク提供装置１０２ａ）
また、例えば、図１１に示すタスク提供装置１０２ａが提供されてよい。図１１は、タスク提供装置１０２ａの機能構成の一例を示すブロック図である。
【０１７６】
図１１のタスク提供装置１０２ａは、図１０のタスク提供装置１０１ａに加えて、回答受付部４０、第１タスク評価部４１及び評価結果出力部４４を含む。タスク提供装置１０１ａと異なる点のみ説明する。
【０１７７】
回答受付部４０は、第１タスクに基づく回答をユーザから受け付ける。
【０１７８】
第１タスク評価部４１は、回答受付部４０から第１タスクに基づく回答を取得する。また、第１タスク評価部４１は、第１読出部３１からどの第１タスクのどの問題を読みだしているかを取得する。第１タスク評価部４１は、現在ユーザに提供されている第１タスクの問題の回答と、ユーザの回答と、の一致又は不一致を、第１タスク格納部３２を参照して評価する。
【０１７９】
第１タスク評価部４１は、第１タスクに基づく回答の評価結果（第１評価結果）を評価結果出力部４４に出力する。また、第１タスク評価部４１は、この評価結果を第１タスクの選択に利用するように設定されている場合には、第１タスクに基づく回答の評価結果を、第１選択部３０に出力する。
【０１８０】
（タスク提供装置１０３ａ）
また、例えば、図１２に示すタスク提供装置１０３ａが提供されてよい。図１２は、タスク提供装置１０３ａの機能構成の一例を示すブロック図である。
【０１８１】
図１２のタスク提供装置１０３ａは、図１１のタスク提供装置１０２ａに加えて、第２選択部３４、第２読出部３５及び第２タスク格納部３６を含む。タスク提供装置１０２ａと異なる点のみ説明する。
【０１８２】
第２選択部３４は、入力装置１３介して、任意に、所定の基準に基づいて、又は他の運動器具からの入力に基づいて、第２タスク格納部３６から第２タスクを選択する。また、第２選択部３４は、第２選択部３４は、選択可能信号を生成するように設定されている場合には、ユーザから第２タスクの選択を受け付けると、選択可能信号を生成する。この場合、第１選択部３０は、選択可能信号に基づいて第１タスク格納部３２において第１タスクを選択可能となってもよい。
【０１８３】
第２読出部３５は、第２選択部３４が選択した第２タスクを第２タスク格納部３６から読み出し、信号変換部３３に出力する。信号変換部３３は、第２タスクに基づいて変換信号を生成し、音伝達装置１００ｂに出力する。
【０１８４】
（タスク提供装置１０４ａ）
また、例えば、図１３に示すタスク提供装置１０４ａが提供されてよい。図１３は、タスク提供装置１０４ａの機能構成の一例を示すブロック図である。
【０１８５】
図１３のタスク提供装置１０４ａは、図１２のタスク提供装置１０３ａに加えて、第２タスク評価部４２を含む。タスク提供装置１０３ａと異なる点のみ説明する。
【０１８６】
第２タスク評価部４２は、第２タスクに基づくユーザの運動の結果を取得する。また、第２タスク評価部４２は、第２読出部３５からどの第２タスクを読みだしているかを取得する。第２タスク評価部４２は、第２タスク格納部３６を参照して、現在ユーザに提供されている第２タスクについての最大運動量と、ユーザの運動量とを比較する。これにより、第２タスク評価部４２は、第２タスクに基づく運動の達成度を評価する。
【０１８７】
第２タスク評価部４２は、第２タスクに基づく評価結果（第２評価結果）を評価結果出力部４４に出力する。また、第２タスク評価部４２は、この評価結果を第２タスクの選択に利用するように設定されている場合には、第２タスクに基づく評価結果を、第２選択部３４に出力する。
【０１８８】
（Ｂ）
上記実施形態では、音伝達装置１００ｂとして骨伝導伝達装置２１を例に挙げて説明した。しかし、音伝達装置１００ｂはこれに限定されない。
【０１８９】
例えば、音伝達装置１００ｂは、空気振動を利用した音伝達装置であってもよい。あるいは、音伝達装置１００ｂは、骨伝導を利用した骨伝導伝達装置２１と、空気振動を利用した音伝達装置との両方を含む音伝達装置であってもよい。
【０１９０】
（空気振動を利用した音伝達装置１００ｂ）
例えば、音伝達装置１００ｂは、音信号を伝達可能な装置であれば、例えば空気振動を利用して耳を介して音を伝達するイヤホン及びヘッドホン等であってもよい。この場合、第１タスク及び第２タスクは、イヤホン及びヘッドホン等である音伝達装置１００ｂにより、耳を介してユーザに伝達される。
【０１９１】
例えば音伝達装置１００ｂがイヤホンであれば、音伝達装置１００ｂはユーザの耳に装着される。例えば音伝達装置１００ｂがヘッドホンであれば、音伝達装置１００ｂは音を出力する部分が耳に当たるようにユーザの頭部に装着される。
【０１９２】
また、上記実施形態では、音伝達装置１００ｂは、ユーザの片方の耳の外側又は両方の耳の外側に引っかけるように取り付けられると説明した。しかし、音伝達装置１００ｂの取付位置はこれに限定されない。
【０１９３】
例えば、音伝達装置１００ｂは、片方の耳のみを覆うように取り付けられてもよいし、両方の耳を覆うように取り付けられてもよい。また、例えば、音伝達装置１００ｂは、片方の耳又は両方の耳に挿入されるように取り付けられてもよい。また、例えば、音伝達装置１００ｂは、ユーザに音を伝達できるのであれば、その取付位置は耳に限定されず、ユーザの頭部のあらゆる位置に取り付け可能である。さらには、音伝達装置は１００ｂ、ユーザに音を伝達できるのであれば、その取付位置は頭部に限定されない。
【０１９４】
（骨伝導及び空気振動を利用した音伝達装置１００ｂ）
音伝達装置１００ｂは、骨伝導を利用した骨伝導伝達装置２１と、空気振動を利用した音伝達装置との両方を含む音伝達装置であってもよい。空気振動を利用した音伝達装置は、上述したイヤホン及びヘッドホン等である。この場合、第１タスク及び第２タスクは、骨伝導伝達装置２１又は空気振動を利用した音伝達装置のいずれかを介してユーザに伝達される。
【０１９５】
音伝達装置１００ｂの取付位置は上記と同様であり、例えばユーザに音を伝達できるのであれば、その取付位置は頭部に限定されない。
【０１９６】
なお、上記では音伝達装置１００ｂが骨伝導伝達装置２１及び空気振動を利用した音伝達装置を含むと説明した。しかし、音伝達装置１００ｂは骨伝導伝達装置２１であり、スピーカ等の空気振動を利用した第２音伝達装置が別途に設けられていてもよい。
【０１９７】
（Ｃ）
上記実施形態では、タスク提供装置１００ａは、ユーザの手首に装着されると説明した。しかし、タスク提供装置１００ａの適用位置はこれに限定されない。
【０１９８】
例えば、タスク提供装置１００ａは、ユーザの手首以外の体のあらゆる部分に装着可能である。例えば、腰ベルトのように、タスク提供装置１００ａがユーザの腰回りに装着されてもよい。
【０１９９】
また、例えば、タスク提供装置１００ａは、ユーザが運動を行う際に用いる道具に装着されてもよい。例えば、本実施形態では、ノルディックウォーキングに用いるポール２００にタスク提供装置１００ａが装着されてもよい。例えば、ポール２００のうち、ユーザが把持する把持部２００ａにタスク提供装置１００ａが装着されてもよい。
【０２００】
また、タスク提供装置１００ａは、例えばグローブのように手にはめることが可能な部材に取り付けられていてもよい。
【０２０１】
（Ｄ）
上記実施形態では、タスク提供システム１００は、タスク提供装置１００ａと、音伝達装置１００ｂとを含む。しかし、タスク提供システム１００の構成はこれに限定されない。
【０２０２】
例えば、別の一例に係るタスク提供システム１００−１は、タスク提供装置１００ａ−１と、音伝達装置１００ｂ−１と、端末装置１００ｃ−１とを含んでもよい。端末装置１００ｃ−１は、例えば、携帯可能な携帯電話及び小型のＰＣ（Personal Computer）装置等である。
【０２０３】
例えば、タスク提供システム１００−１において、音伝達装置１００ｂ−１のハードウェア構成は上記実施形態の音伝達装置１００ｂと同様に構成される。一方、図３のタスク提供装置１００ａのハードウェア構成が、タスク提供システム１００−１のタスク提供装置１００ａ−１及び端末装置１００ｃ−１に割り当てられる。これにより、上記実施形態の図３のタスク提供装置１００ａでの処理が、タスク提供装置１００ａ−１及び端末装置１００ｃ−１によって実行される。
【０２０４】
例えば一例であるが、タスク提供装置１００ａ−１、音伝達装置１００ｂ−１及び端末装置１００ｃ−１において、次のように処理が分担されてもよい。例えば、端末装置１００ｃ−１が第１タスク及び第２タスクを格納しており、第１タスク及び第２タスクを読み出して音伝達装置１００ｂ−１に提供する。そして、例えば、タスク提供装置１００ａ−１が、第１タスクに基づく回答及び第２タスクに基づく運動の結果を受け付ける。そして、端末装置１００ｃ−１が、その回答及び運動の結果をタスク提供装置１００ａ−１から取得する。その後、端末装置１００ｃ−１は、回答及び運動の結果を評価した評価結果を、端末装置１００ｃ−１においてユーザに提示する。以下にこのようなタスク提供システム１００−１の一例について説明する。
【０２０５】
図１４は、その他の実施形態に係るタスク提供システム１００−１のハードウェア構成の一例を示すブロック図である。図１４のタスク提供システム１００−１は、タスク提供装置１００ａ−１と、音伝達装置１００ｂ−１と、端末装置１００ｃ−１とを含む。
【０２０６】
タスク提供装置１００ａ−１は、ＣＰＵ１０ａ、ＲＯＭ１１ａ、ＲＡＭ１２ａ、入力装置１３ａ、骨伝導センサ１４ａ及び送受信装置１６ａを含む。音伝達装置１００ｂ−１は、送受信装置２０及び骨伝導伝達装置２１を含む。端末装置１００ｃ−１は、ＣＰＵ１０ｃ、ＲＯＭ１１ｃ、ＲＡＭ１２ｃ、入力装置１３ｃ、結果出力装置１５ｃ及び送受信装置１６ｃを含む。タスク提供装置１００ａ−１、音伝達装置１００ｂ−１及び端末装置１００ｃ−１間において、各種信号の送受信が行われて上記実施形態のタスク提供システム１００と同様の機能を遂行することができる。
【０２０７】
具体的には、端末装置１００ｃ−１のＲＯＭ１１ｃ及びＲＡＭ１２ｃは、例えば上記実施形態において説明した図４の第１タスク格納部３２及び第２タスク格納部３６を含む。また、ＲＯＭ１１ｃ及びＲＡＭ１２ｃは、端末装置１００ｃ−１での処理を実行するための各種プログラムを格納している。
【０２０８】
端末装置１００ｃ−１のＣＰＵ１０ｃにおいて、第１選択部３０が第１タスクを選択し、第１読出部３１が第１タスク格納部３２から第１タスクを読み出す。端末装置１００ｃ−１のＣＰＵ１０ｃにおいて、第２選択部３４が第２タスクを選択し、第２読出部３５が第２タスク格納部３６から第２タスクを読み出す。端末装置１００ｃ−１のＣＰＵ１０ｃの信号変換部３３は、読み出された第１タスク及び第２タスクを、ユーザが音として認識可能な信号に変換し、変換信号を生成する。また、信号変換部３３は、変換信号を、送受信装置１６ｃを介して音伝達装置１００ｂに出力する。
【０２０９】
音伝達装置１００ｂは、上記実施形態と同様に、例えば骨伝導伝達装置２１を介しておとによりユーザに第１タスク及び第２タスクを提供する。
【０２１０】
タスク提供装置１００ａ−１のＣＰＵ１０ａの回答受付部４０は、例えば骨伝導センサ１４ａを介して第１タスクに基づく回答及び第２タスクに基づく運動の結果を受け付ける。回答受付部４０での受付は、入力装置１３ａからであってもよい。タスク提供装置１００ａ−１の回答受付部４０は、送受信装置１６ａを介して端末装置１００ｃ−１に第１タスクに基づく回答及び第２タスクに基づく運動の結果出力する。なお、ＲＯＭ１１ａ及びＲＡＭ１２ａは、タスク提供装置１００ａ−１での処理を実行するための各種プログラムを格納している。また、入力装置１３ａは、タスク提供装置１００ａ−１へ入力を行うための操作部等を構成する。
【０２１１】
端末装置１００ｃ−１のＣＰＵ１０ｃにおいて、第１タスク評価部４１は、第１タスクに基づく回答を評価する。ＣＰＵ１０ｃの第２タスク評価部４２は、第２タスクに基づく運動の結果を評価する。ＣＰＵ１０ｃのマルチタスク評価部４３は、第１評価結及び第２評価結果に基づいて、総合的な評価を行う。結果出力装置１５ｃは、評価結果出力部４４の制御に基づいて、これらの評価結果をディスプレイでの表示及び音声等によって提示する。
【０２１２】
その他、図３のタスク提供装置１００ａの各ハードウェハは、タスク提供装置１００ａ−１及び端末装置１００ｃ−１の両方又はいずれか一方に設けられればよく、上記図１４の態様に限定されない。図３のタスク提供装置１００ａの各ハードウェハを、タスク提供装置１００ａ−１及び／又は端末装置１００ｃ−１に設ける態様は多様に考えられ、タスク提供装置１００ａ−１と端末装置１００ｃ−１との間の信号の送受信により、上記実施形態のタスク提供装置１００と同様の機能を遂行することができる。
【０２１３】
その他、図４に示す各機能部は、タスク提供装置１００ａ−１及び端末装置１００ｃ−１の両方又はいずれか一方に設けられればよい。図４の各機能部をタスク提供装置１００ａ−１及び／又は端末装置１００ｃ−１に設ける態様は多様に考えられ、タスク提供装置１００ａ−１と端末装置１００ｃ−１との間の信号の送受信により、上記実施形態と同様の機能を実行することができる。
【０２１４】
例えば、一例であるが、端末装置１００ｃ−１は、第１選択部３０、第１読出部３１、第１タスク格納部３２、第２選択部３４、第２読出部３５、第２タスク格納部３６、信号変換部３３及び評価結果出力部４４を含む。一方、タスク提供装置１００ａ−１は、回答受付部４０、第１タスク評価部４１、第２タスク評価部４２及びマルチタスク評価部４３を含む。このような端末装置１００ｃ−１は、第１タスク及び第２タスクを読み出して、音伝達装置１００ｂに第１タスク及び第２タスクに基づく信号を提供する。また、このようなタスク提供装置１００ａ−１は、例えばタスク提供装置１００ａ−１の骨伝導センサ１４ａから第１タスクに対する回答及び第２タスクに基づく運動を受け付け、評価を行う。タスク提供装置１００ａ−１での第１評価結果、第２評価結果及び総合的な評価結果は、評価結果出力部４４の制御に基づいて、端末装置１００ｃ−１の結果出力装置１５ｃにおいてユーザに提示される。
【０２１５】
（Ｅ）
上記実施形態のタスク提供装置１００ａは、骨伝導センサ１４及び結果出力装置１５を含む。しかし、本発明はこれに限定されない。
【０２１６】
例えば、入力装置１３及び／又は送受信装置１６が、第１タスクに基づく回答及び第２タスクに基づく運動を受信してもよい。この場合には、骨伝導センサ１４によって第１タスクに基づく回答及び第２タスクに基づく運動を受信する必要が無いため、タスク提供システム１００には、骨伝導センサ１４が設けられなくてもよい。
【０２１７】
例えば、第１タスク及び第２タスクについて評価を行わない場合には、タスク提供装置１００ａは、第１タスクに基づく回答及び第２タスクに基づく運動について受信する必要はない。この場合には、タスク提供システム１００には、ユーザによる回答等を受信する必要がないため、骨伝導センサ１４が設けられなくてもよい。さらに、評価が行われずユーザに提示する必要もないため、タスク提供システム１００には、結果出力装置１５が設けられなくてもよい。
【０２１８】
（Ｆ）
上記実施形態では、第１選択部３０が第１タスクの選択の指定を受け付けて、第１タスク格納部３２から第１タスクを選択する。さらに、第１読出部３１が、第１選択部３０が選択した第１タスクを、第１タスク格納部３２から読み出す。しかし、第１選択部３０及び第１読出部３１の機能を１つの機能部が行ってもよい。この場合、第１選択部３０及び第１読出部３１が一体となった機能部が、第１タスクの選択の指定を受け付け、第１タスクを第１タスク格納部３２において選択して読み出してもよい。
【０２１９】
同様に、上記実施形態とは異なり、第２選択部３４及び第２読出部３５が一体となった機能部が、第２タスクの選択の指定を受け付け、第２タスクを第２タスク格納部３６において選択して読み出してもよい。
【０２２０】
（Ｇ）
上記実施形態では、第１選択部３０は、第１タスク評価部４１から第１タスクに対する回答の評価結果（第１評価結果）を受信すると、評価結果に基づいて第１タスクを選択する。そして、第１読出部３１は、選択された第１タスクを第１タスク格納部３２から読み出す。しかし、第１選択部３０は、選択した第１タスクを、例えば評価結果出力部４４を介して結果出力装置１５及び骨伝導伝達装置２１に出力してもよい。そして、これにより、ユーザは、結果出力装置１５及び骨伝導伝達装置２１によって、推奨される第１タスクを把握することができる。その後、第１選択部３０は、ユーザの選択に基づいて第１タスクの指定を受け付けてもよい。
【０２２１】
同様に、第２選択部３４は、第１タスクに対する運動の評価結果（第２評価結果）に基づいて選択した第２タスクを、例えば評価結果出力部４４を介して結果出力装置１５及び骨伝導伝達装置２１に出力してもよい。そして、これにより、ユーザは、結果出力装置１５及び骨伝導伝達装置２１によって、推奨される第２タスクを把握することができる。その後、第２選択部３４は、ユーザの選択に基づいて第２タスクの指定を受け付けてもよい。
【０２２２】
（Ｈ）
上記実施形態では、信号変換部３３が、第１タスク及び第２タスクを、ユーザが音として認識可能な信号に変換し、変換信号を生成する。しかし、音伝達装置１００ｂが、第１タスク及び第２タスクを、ユーザが音として認識可能な信号に変換してもよい。
【０２２３】
例えば、信号変換部３３は、第１タスク及び第２タスクに基づく信号を、送受信装置１６を介して音伝達装置１００ｂに出力する。音伝達装置１００ｂの骨伝導伝達装置２１は、送受信装置２０を介して、第１タスク及び第２タスクに基づく信号を信号変換部３３から受信する。骨伝導伝達装置２１は、第１タスク及び第２タスクに基づく信号を、ユーザが音として認識可能な骨伝導に基づく信号に変換し、ユーザに伝達する。
【０２２４】
（Ｉ）
上記実施形態では、ユーザに運動（第２タスクに基づく運動）をさせつつ、問題に回答（第１タスクに基づく回答）させるという２つの課題を行わせるデュアルタスクを例に挙げて説明した。しかし、本発明はこれに限定されない。
【０２２５】
例えば、ユーザに２種類の運動（２種類の第２タスクに基づく２種類の運動）をさせつつ、１種類の問題に回答（１種類の第１タスクに基づく回答）させるという３つの課題を行わせる場合にも本発明を適用可能である。例えば、ユーザは、手で握力を鍛えるためのアームスプリングを操作するという運動と、ウォーキングによる運動と、の２つの運動を行う。その上で、ユーザが問題に回答する場合にも本タスク提供装置１００ａを用いることができる。
【０２２６】
逆に、ユーザに１種類の運動（１種類の第２タスクに基づく１種類の運動）をさせつつ、２種類の問題に回答（２種類の第１タスクに基づく２種類の回答）させるという３つの課題を行わせる場合にも本発明を適用可能である。例えば、ユーザは、ウォーキングにより運動を行っている。その上で、１つ目の第１タスクとしてユーザが計算に回答しつつ、2つ目の第１タスクとしてリズムに合わせて指等を動かすという場合にも本タスク提供装置を用いることができる。
また、同時に行う第１タスク及び第２タスクの数はこれに限定されない。
【産業上の利用可能性】
【０２２７】
本発明によれば、小型化かつ携帯可能なタスク提供装置を提供することができる。よって、ユーザの多様な運動ととともに、本タスク提供装置を用いることができ、認知症予防及び脳機能の向上等に幅広く対応可能である。
【符号の説明】
【０２２８】
１０      ：ＣＰＵ
１１      ：ＲＯＭ
１２      ：ＲＡＭ
１３      ：入力装置
１４      ：骨伝導センサ
１５      ：結果出力装置
１６      ：送受信装置
２０      ：送受信装置
２１      ：骨伝導伝達装置
３０      ：第１選択部
３１      ：第１読出部
３２      ：第１タスク格納部
３３      ：信号変換部
３４      ：第２選択部
３５      ：第２読出部
３６      ：第２タスク格納部
４０      ：回答受付部
４１      ：第１タスク評価部
４２      ：第２タスク評価部
４３      ：マルチタスク評価部
４４      ：評価結果出力部
１００    ：タスク提供システム
１００ａ  ：タスク提供装置
１００ｂ  ：音伝達装置
１０１ａ  ：タスク提供装置
１０２ａ  ：タスク提供装置
１０３ａ  ：タスク提供装置
１０４ａ  ：タスク提供装置
２００    ：ポール
２００ａ  ：把持部
【図１】
2017049414.tif 000003
【図２】
2017049414.tif 000004
【図３】
2017049414.tif 000005
【図４】
2017049414.tif 000006
【図５】
2017049414.tif 000007
【図６】
2017049414.tif 000008
【図７】
2017049414.tif 000009
【図８Ａ】
2017049414.tif 000010
【図８Ｂ】
2017049414.tif 000011
【図９Ａ】
2017049414.tif 000012
【図９Ｂ】
2017049414.tif 000013
【図９Ｃ】
2017049414.tif 000014
【図１０】
2017049414.tif 000015
【図１１】
2017049414.tif 000016
【図１２】
2017049414.tif 000017
【図１３】
2017049414.tif 000018
【図１４】
2017049414.tif 000019